【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
固体ポリマーを溶融ポリマーに変換するように構成された溶融システムであって、前記溶融システムは、少なくとも１つの溶融ユニットを備え、
前記溶融ユニットは、
リザーバと、
前記リザーバの上方に配置された溶融グリッドであって、前記溶融グリッドが、溶融ポリマーを形成するのに十分な温度に前記固体ポリマーを晒させ、かつ前記溶融ポリマーを前記リザーバ内に堆積させるように構成されている、溶融グリッドと、
前記溶融グリッドの上方に配設され、前記固体ポリマーの供給物を保持するように構成されたホッパーであって、
前記溶融グリッドに近接し、かつ前記溶融グリッドに開放されている下端部、
前記下端部の反対側にある上端部及び前記下端部から前記上端部まで延在する壁部であって、両者で前記固体ポリマーの前記供給物を保持する内部チャンバを画定する上端部及び壁部、並びに
更に、前記ホッパーの前記壁部上に配置され、前記ホッパーが閉鎖された状態の閉鎖位置と、前記内部チャンバが前記固体ポリマーを受容するためにアクセス可能状態の開放位置との間で移動可能であるアクセスドア、
を有するホッパーと、を有し、
前記溶融ユニットは、
前記溶融グリッドの下方かつ、前記リザーバ内の前記溶融ポリマーの上方に配設された熱隔離領域であって、前記リザーバ内の溶融ポリマーから前記ホッパー内の前記固体ポリマーを熱的に隔離するように構成されている熱隔離領域を備え、前記熱隔離領域は、前記ホッパーの下方に配設された隔離チャンバを含む、溶融システム。
【請求項２】
前記熱隔離領域は、前記リザーバの上部であり、前記隔離チャンバの下方の前記リザーバの前記上部におけるエアギャップを含む、請求項１に記載の溶融システム。
【請求項３】
前記溶融グリッドは、６０〜７０Ｗ／立方インチのワット密度を有する、請求項１に記載の溶融システム。
【請求項４】
前記隔離チャンバが、
下壁部と、
前記下壁部に連結された外壁部と、
前記下壁部の出口と、
前記出口に位置合わせされたガイド経路と、
を備え、
前記ガイド経路が、前記溶融グリッドから溶融ポリマーを受容し、前記溶融ポリマーを前記リザーバ内に方向付ける、請求項１に記載の溶融システム。
【請求項５】
前記隔離チャンバが、
下壁部と、
前記下壁部に連結された外壁部と、
内部空洞と、
前記内部空洞に開放され、前記外壁部に沿って配設された複数の通気孔と、
を含み、
前記通気孔は、空気が前記内部空洞に入ることを可能にする、請求項１に記載の溶融システム。
【請求項６】
前記ホッパーが第１ホッパーであり、
前記少なくとも１つの溶融ユニットが第２ホッパーを含み、
前記第１ホッパー及び前記第２ホッパーのそれぞれが、前記アクセスドア及び少なくとも１つの可視化窓を含む、請求項１に記載の溶融システム。
【請求項７】
前記少なくとも１つの溶融ユニットが、第１の溶融ユニット及び第２の溶融ユニットを含む、請求項１に記載の溶融システム。
【請求項８】
前記アクセスドアが、前記ホッパーの前記壁部上の複数のアクセスドアを含む、請求項１に記載の溶融システム。
【請求項９】
前記ホッパーが、前記内部チャンバ内の前記固体ポリマーの高さの可視化を可能にするために、前記ホッパーの前記壁部上に配設された少なくとも１つの可視化窓を含む、請求項１に記載の溶融システム。
【請求項１０】
前記少なくとも１つの可視化窓が、前記ホッパーの前記壁部上の複数の可視化窓を含む、請求項９に記載の溶融システム。
【請求項１１】
前記アクセスドアが、複数のアクセスドアを有し、複数の前記アクセスドアの各々が、対応する複数の可視化窓の１つを含む、請求項１０に記載の溶融システム。
【請求項１２】
前記アクセスドアが、第１のアクセスドア及び第２のアクセスドアを含み、前記第１のアクセスドア及び第２のアクセスドアの各々は、前記ホッパーの前記壁部上に配設されており、
前記第１のアクセスドア及び前記第２のアクセスドアが、垂直方向に沿って互いに対して位置付けられる、請求項１に記載の溶融システム。
【請求項１３】
前記第１のアクセスドア内の第１の可視化窓と、前記第２のアクセスドア内の第２の可視化窓とを更に備える、請求項１２に記載の溶融システム。
【請求項１４】
前記ホッパーが、前記ホッパーの前記壁部の最上端部に固定された上部カバーを含み、
前記上部カバーが、前記ホッパーの閉鎖された上端部を画定する、請求項１に記載の溶融システム。
【請求項１５】
前記ホッパーの前記壁部が複数の側部を含み、
前記アクセスドアが、前記複数の側部のうちの少なくとも１つの上に配設される、請求項１に記載の溶融システム。
【請求項１６】
前記ホッパーの前記壁部が複数の側部を含み、
可視化窓が、前記複数の側部のうちの少なくとも１つの上に配設される、請求項１に記載の溶融システム。
【請求項１７】
前記ホッパーの前記壁部が複数の側部を含み、
複数の前記側部が、
第１の側部と、
前記第１の側部と交差する第２の側部と、
前記第２の側部と交差し、かつ前記第１の側部とは反対側にある第３の側部と、
前記第１の側部及び前記第３の側部と交差し、前記第２の側部とは反対側にある第４の側部と、
を含み、
前記ホッパーが、複数の前記側部のそれぞれに連結された上部カバーを含み、前記ホッパーの閉鎖された上端部を更に画定する、請求項１に記載の溶融システム。
【請求項１８】
固体ポリマーを溶融ポリマーに変換するように構成された溶融システムであって、前記溶融システムは、少なくとも１つの溶融ユニットを備え、
前記溶融ユニットは、
リザーバと、
前記リザーバの上方に配置された溶融グリッドであって、前記溶融グリッドが、溶融ポリマーを形成するのに十分な温度に前記固体ポリマーを晒させ、かつ前記溶融ポリマーを前記リザーバ内に堆積させるように構成されている、溶融グリッドと、
前記溶融グリッドの上方に配設され、前記固体ポリマーの供給物を保持するように構成されたホッパーであって、
前記溶融グリッドに近接し、かつ前記溶融グリッドに開放されている下端部、
前記下端部の反対側にある上端部及び前記下端部から前記上端部まで延在する壁部であって、両者で前記固体ポリマーの前記供給物を保持する内部チャンバを画定する上端部及び壁部、並びに
更に、垂直方向に沿って前記ホッパーの前記壁部上に配置され、前記ホッパーが閉鎖された状態の閉鎖位置と、前記内部チャンバが前記固体ポリマーを受容するためにアクセス可能状態の開放位置との間で移動可能であるアクセスドア、
を有するホッパーと、を有し、
前記溶融ユニットは、
前記溶融グリッドの下方かつ、前記リザーバ内の前記溶融ポリマーの上方に配設された熱隔離領域であって、前記リザーバ内の溶融ポリマーから前記ホッパー内の前記固体ポリマーを熱的に隔離するように構成されている熱隔離領域を備える、溶融システム。
【請求項１９】
前記熱隔離領域は、前記ホッパーの下方に配設された隔離チャンバを含む、請求項１８に記載の溶融システム。
【請求項２０】
前記熱隔離領域は、前記リザーバの上部であり、前記隔離チャンバの下方の前記リザーバの前記上部におけるエアギャップを含む、請求項１９に記載の溶融システム。
【請求項２１】
前記溶融グリッドは、６０〜７０Ｗ／立方インチのワット密度を有する、請求項１８に記載の溶融システム。
【請求項２２】
前記隔離チャンバが、
下壁部と、
前記下壁部に連結された外壁部と、
前記下壁部の出口と、
前記出口に位置合わせされたガイド経路と、
を備え、
前記ガイド経路が、前記溶融グリッドから溶融ポリマーを受容し、前記溶融ポリマーを前記リザーバ内に方向付ける、請求項１９に記載の溶融システム。
【請求項２３】
前記隔離チャンバが、
下壁部と、
前記下壁部に連結された外壁部と、
内部空洞と、
前記内部空洞に開放され、前記外壁部に沿って配設された複数の通気孔と、
を含み、
前記通気孔は、空気が前記内部空洞に入ることを可能にする、請求項１９に記載の溶融システム。
【請求項２４】
前記ホッパーが第１ホッパーであり、
前記少なくとも１つの溶融ユニットが第２ホッパーを含み、
前記第１ホッパー及び前記第２ホッパーのそれぞれが、前記アクセスドア及び少なくとも１つの可視化窓を含む、請求項１８に記載の溶融システム。
【請求項２５】
前記少なくとも１つの溶融ユニットが、第１の溶融ユニット及び第２の溶融ユニットを含む、請求項１８に記載の溶融システム。
【請求項２６】
前記アクセスドアが、前記ホッパーの前記壁部上の複数のアクセスドアを含む、請求項１８に記載の溶融システム。
【請求項２７】
前記ホッパーが、前記内部チャンバ内の前記固体ポリマーの高さの可視化を可能にするために、前記ホッパーの前記壁部上に配設された少なくとも１つの可視化窓を含む、請求項１８に記載の溶融システム。
【請求項２８】
前記少なくとも１つの可視化窓が、前記ホッパーの前記壁部上の複数の可視化窓を含む、請求項２７に記載の溶融システム。
【請求項２９】
前記アクセスドアが、複数のアクセスドアを有し、複数の前記アクセスドアの各々が、対応する複数の可視化窓の１つを含む、請求項２８に記載の溶融システム。
【請求項３０】
前記アクセスドアが、第１のアクセスドア及び第２のアクセスドアを含み、前記第１のアクセスドア及び第２のアクセスドアの各々は、前記ホッパーの前記壁部上に配設されており、
前記第１のアクセスドア及び前記第２のアクセスドアが、垂直方向に沿って互いに対して位置付けられる、請求項１８に記載の溶融システム。
【請求項３１】
前記第１のアクセスドア内の第１の可視化窓と、前記第２のアクセスドア内の第２の可視化窓とを更に備える、請求項３０に記載の溶融システム。
【請求項３２】
前記ホッパーが、前記ホッパーの前記壁部の最上端部に固定された上部カバーを含み、
前記上部カバーが、前記ホッパーの閉鎖された上端部を画定する、請求項１８に記載の溶融システム。
【請求項３３】
前記ホッパーの前記壁部が複数の側部を含み、
前記アクセスドアが、前記複数の側部のうちの少なくとも１つの上に配設される、請求項１８に記載の溶融システム。
【請求項３４】
前記ホッパーの前記壁部が複数の側部を含み、
可視化窓が、前記複数の側部のうちの少なくとも１つの上に配設される、請求項１８に記載の溶融システム。
【請求項３５】
前記ホッパーの前記壁部が複数の側部を含み、
複数の前記側部が、
第１の側部と、
前記第１の側部と交差する第２の側部と、
前記第２の側部と交差し、かつ前記第１の側部とは反対側にある第３の側部と、
前記第１の側部及び前記第３の側部と交差し、前記第２の側部とは反対側にある第４の側部と、
を含み、
前記ホッパーが、複数の前記側部のそれぞれに連結された上部カバーを含み、前記ホッパーの閉鎖された上端部を更に画定する、請求項１８に記載の溶融システム。